(57)【要約】【課題】ショットに際して利き手の指に衝撃を受ける、主としてアベレージヒッターから初心者のゴルファーに、ゴルフの練習などにおいて利き手の薬指、中指、人さし指を痛めないように装着し、利き手用の手袋よりも購入するよりも、著しく安価である指サックを提供する。【解決手段】指を挿通するための開口端２、３を両端に備えた中空筒状のサック本体１を備えたことを特徴とする。１つの好ましい形態では、サック本体は、その上面側と下面側が異なる素材であり、両者を縫製することにより筒状に構成され、前記上面側は伸縮性のある素材を使用し、前記下面側は耐摩耗性があり、摩擦係数の大きな素材で形成されていることを特徴とする。【選択図】  図１
0003127829.tif 000002
【実用新案登録請求の範囲】
【請求項１】
指を挿通するための開口端を両端に備えた中空筒状のサック本体を備えたことを特徴とするゴルフ用指サック。
【請求項２】
前記サック本体は、その上面側と下面側が異なる素材であり、両者を縫製することにより筒状に構成され、前記上面側は伸縮性のある素材を使用し、前記下面側は耐摩耗性がある素材で形成されていることを特徴とする請求項１記載のゴルフ用指サック。
【請求項３】
前記上面側の、指の第２関節に対応する部分に関節穴が設けられていることを特徴とする請求項１または２記載のゴルフ用指サック。
【請求項４】
前記開口端はループ縫い部が形成されていることを特徴とする請求項１から３記載のいずれかのゴルフ用指サック。
【考案の詳細な説明】
【技術分野】
【０００１】
本考案はゴルフ用指サック、さらに詳細には、ゴルフショット、スイングを行う場合に、利き手の腕の指を保護するためのゴルフ用指サックに関する。
【背景技術】
【０００２】
ゴルフショットを行う場合、ボールのショットの衝撃が掌および指に伝達されることから、上述のショットをする場合に衝撃緩和用の手袋を装着することが行われている。このような手袋は、グリップの滑りを防止するためにも装着する。一般に、ゴルフショット用の、このような手袋は利き腕と反対の掌に装着する。通常、右が利き腕の人々が一般的であることから、この明細書においては、右利きの人々（右スイングを行う人々）を対象に、以下に記載する。したがって、左手が利き腕の反対の手となる。
【０００３】
上述のように、一般的に左手のみに手袋を装着するものであるが、ゴルフの上級者はともかく、アベレージヒッターから初心者においては、必ずしも左手のみではなく、右手の指まで衝撃を受けるのは、しばしば経験するところである。特に、練習場などで、数多くのボールをショットする場合には、右手の、薬指、中指、人さし指などを痛めることも多い。
【０００４】
このような事態を防止するため、あるいは左利きの人々用に、右手用の手袋も販売されているが、当然のことながら左手用と同じ値段であり、高価であることは否めない。
【考案の開示】
【考案が解決しようとする課題】
【０００５】
本考案は上述の課題を解決するためなされたものであり、ショットに際して利き手の指に衝撃を受ける、主としてアベレージヒッターから初心者のゴルファーに、練習などにおいて利き手の薬指、中指、人さし指を痛めないように装着する指サックを提供することを目的とする。
【課題を解決するための手段】
【０００６】
上記課題を解決するため、本考案によるゴルフ用指サックは、指を挿通するための開口端を両端に備えた中空筒状のサック本体を備えたことを特徴とする。
【考案の効果】
【０００７】
本考案によれば、ショットに際して利き手の指に衝撃を受ける、主としてアベレージヒッターから初心者のゴルファーに、ゴルフの練習などにおいて利き手の指を痛めないようにすることが可能である。利き手用の手袋を購入するよりも、本考案によるゴルフ用指サックの方が著しく安価であるという利点もある。
【考案を実施するための最良の形態】
【０００８】
本考案によるゴルフ用指サックは、上述のように指を挿通するための開口端を両端に備えた中空筒状のサック本体を備えたことを特徴とする。
【０００９】
本考案による好ましい形態において、サック本体は、その上面側と下面側が異なる素材であり、両者を縫製することにより筒状に構成され、前記上面側は伸縮性のある素材を使用し、前記下面側は耐摩耗性があり、摩擦係数の大きな素材で形成されていることを特徴とする。
【００１０】
本考案による他の好ましい形態において、前記上面側の、指の第２関節に対応する部分に関節穴が設けられていることを特徴とする。
【００１１】
本考案による他の好ましい実施形態においては、前記開口端はループ縫い部が形成されていることを特徴とする。
【実施例】
【００１２】
本考案の実施例を図面を参照して説明する。図１は本発明の好ましい実施例の斜視図、図２は平面図、図３および図４は本考案による前記実施例のゴルフ用指サックを装着したときの状態を示す図である。これらの図より明らかなように本考案によるゴルフ用指サックは、薬指、中指あるいは人さし指を挿通するための、挿入口２および挿出口３（挿入口および挿出口は開口端に相当する）を備えた中空筒状のサック本体１を有している。上述の開口端は挿入口２の直径が挿出口３の直径より若干大きくなっており、このためサック本体１はテーパーを備えている。
【００１３】
本考案によるゴルフ用指サックによれば、前記サック本体１は指Ｆの爪Ｎを備えた面（以下、上面という）側と指間接が内側方向に折曲可能な面（爪Ｎと反対の面；以下、下面という）側と異なる素材が使用されている。上記上面側１１および下面側１２は縫製により筒状に接着固定されている。上面側１１には伸縮性のある素材、たとえばニット及び合成皮革（たとえばトリコールのような基布にポリウレタンを被覆したもの）が使用されており、下面側１２には、耐摩耗性および摩擦係数の大きな素材、たとえば人工皮革が使用されている。
【００１４】
前述のように上面側１１に伸縮性のある素材が使用されるのは、筒状のサック本体１の周方向に伸縮することによって、特に挿入口２の径を大きくすることが可能となるため、指Ｆに装着しやすくなる。また、下面側１２に耐摩耗性が大きく、かつ摩擦係数の大きな素材を使用することによって、ゴルフクラブのグリップの握りを確実にするとともに、耐久性を向上させることができる。
【００１５】
さらに、前記サック本体１の筒状の中空部の裏面１４には、すべり止めのためにシリコーン樹脂をプリントしてある。
【００１６】
このような実施例において、本考案によれば、前記上面側１２の、指Ｆの第２関節Ｊに対応する部分に関節穴１３が設けられている。この関節穴１３に第２関節Ｊを嵌合することにより、前記第２関節Ｊを折曲するとき、前記関節Ｊが前記関節穴１３より若干はみ出すことによって、前記第２関節Ｊを折曲しやすくする作用がある。しかしながら、本考案において、このような関節穴１３を設けなくともよいのは明らかである。
【００１７】
上述の開口端、すなわち挿入口２および挿出口３は、ほつれを防止するためにループ縫い部２１および３１が形成されている。このループ縫いは伸びちじみ可能な縫い方であり、ほつれを防止するとともに、前述の上面側１１に伸縮性のある素材を使用したことと相まって、上記挿入口２および挿出口３の径を大きくしやすくする効果がある。
【００１８】
本考案によるゴルフ用指サックによれば、基本的にいかなる指にも使用することができるが、一般的には薬指、中指、人さし指に使用されることが多い。スイングの形態によって、薬指、中指あるいは人さし指単独、あるいは複数の指に使用することも可能である。
【００１９】
本考案を使用するにあたっては、図３および図４に示すように径の大きな挿入口２より、前記挿入口２を増径しながら、挿入する。前記サック本体１は伸縮性のある上面側１１およびループ縫い部２１を備えた挿入口２を備えているので、容易に増径可能であり、スムースに指Ｆを挿入することができる。挿出口３においても、同様に伸縮性のある上面側１１およびループ縫い部３１を備えた挿出口３を備えているので、容易に増径可能であり、前記指Ｆを簡単に挿通可能である。前記指Ｆの第２関節Ｊを関節穴１３に嵌め込むことにより装着は終了する。
【産業上の利用可能性】
【００２０】
本考案によれば、ショットに際して利き手の指に衝撃を受ける、主としてアベレージヒッターから初心者のゴルファーに、ゴルフの練習などにおいて利き手の指を痛めないようにすることが可能である。利き手用の手袋を購入するよりも、本考案によるゴルフ用指サックの方が著しく安価であるという利点もある。
【図面の簡単な説明】
【００２１】
【図１】本考案の一実施例の斜視図。
【図２】前記実施例の平面図。
【図３】前記実施例の使用状態を示す斜視図。
【図４】前記実施例の使用状態を示す斜視図。
【符号の説明】
【００２２】
１      サック本体
１１      上面側
１２      下面側
１３      関節穴
２      挿入口
３      挿出口
【図１】
0003127829.tif 000003
【図２】
0003127829.tif 000004
【図３】
0003127829.tif 000005
【図４】
0003127829.tif 000006